(57)【要約】      （修正有）【課題】書台板(透明板)上に書物を載せ、寝ながら読み物を読む道具において、書台板の固定をより安定させ、読者の焦点位置に合わせて書台板(透明板)の高さの調整を行えるようにし、読者の寝起き時に書台板(透明板)が読者の頭部に当らないようにする。【解決手段】床面水平板１と床面垂直板２によっを側面視Ｌ字状の本体とし、読者の頭部重力が床面水平板１に直接作用して本体を安定させ、さらに床面垂直板２に設けたガイド溝７と雄螺子８によって書台板(透明板)４の高さの調整を行えるようにした。又、書台板４(透明板)を書台垂直板３に蝶番１０を介して水平に取付、読者の寝起き時には跳ね上げられるようにした。【選択図】図１
2011045503.tif 000002
【特許請求の範囲】
【請求項１】
床面水平板と床面垂直板と書台垂直板と書台板を略コの字型に組合せ、前記の床面垂直板に対し書台垂直板を上下方向のみにスライド可能とし、前記床面垂直板に対し書台垂直板の上下方向の位置を固定する無段階固定機構を設け、前記書台垂直板と書台板の接合部に回転軸機構を設け、前記書台板は透明材料で構成し、書台板の少なくとも本の文章面積相当部に反射防止機能を設けたことを特徴とする安楽読書台。
【請求項２】
前記請求項１において、前記床面垂直板に対し書台垂直板の上下方向の位置を固定する無段階固定機能は、前記床面垂直板と書台垂直板のいづれか一方に複数の上下方向に延びるガイド溝を設け、他方に前記ガイド溝に係合する雄螺子の雄螺子穴を設け、床面垂直板と書台垂直板を雄螺子と蝶ナットの締め付けにより、書台板を任意な位置で締結固定できるようにしたことを特徴とする安楽読書台。
【請求項３】
前記請求項１において、前記床面垂直板に対し書台垂直板の上下方向の位置を固定する無段階固定機能は、前記床面垂直板と書台垂直板のいづれか一方に、上下方向に延びる調整螺子を固定し、前記調整螺子と螺合する調整ナットを取付け、他方に、前記調整ナットと回転自由で上下方向に移動不能な係合窓を設け、前記調整ナットと係合窓の係合させ、調整ナットの回転により書台板を任意な位置で固定出来るようにした特徴とする安楽読書台。
【請求項４】
前記請求項１において、前記書台垂直板と書台板の接合部に設けた回転軸機構は、前記書台垂直板の上端曲げ部と書台板の下面部の間に蝶番を取り付けたことを特徴とする安楽読書台。
【請求項５】
前記請求項１において、書台板の少なくとも本の文章面積相当部に設けた反射防止機能は、書台板の少なくとも本の文章面積相当部を切り欠穴にしたことを特徴とする安楽読書台。
【発明の詳細な説明】
【技術分野】
【０００１】
この発明は、書台板の上に読み物を載せ、寝ながら手で長時間読み物を支えること無しに、安楽姿勢で、手を疲れさせずに、読み物を読む道具に関するものある。  
【背景技術】
【０００２】
従来のものは、土台が略U字型に形成され、読者の頭部重力が土台に直接作用しないので書台板(透明板)の固定が安定し難い、更に書台板(透明板)の高さ調整が段階的で、読者の焦点位置に合わせた微調整がし難い、更に書台板(透明板)の跳ね上げ時にアーチ型支柱に当り直上固定出来ないので読者の寝起き時に書台板(透明板)が読者の頭部に当り寝起きがし難い、書台板(透明板)の上に書物を置いて、読者の目側から書物の文章を読む時、読者の顔等が書台板(透明板)の裏面に映り、反射映像となり文章が読み難い等の課題が有った。
【先行技術文献】
【特許文献】
【０００３】
【特許文献１】特開平11-103940号公報
【発明の概要】
【０００４】
本発明は上記事情に鑑みてなされたもので、その目的は、書台板(透明板)の固定をより安定させ、読者の焦点位置に合わせて書台板(透明板)の高さの微調整を行えるようにし、読者の寝起き時に書台板(透明板)を跳ね上げて直上固定させ読者の頭部に当らないようにし、書台板(透明板)の裏面に読者の顔が映る弊害を解決する為反射防止機能を追加したことを特徴とする安楽読書台を提供することにある。
【発明が解決しようとする課題】
【０００５】
(1)土台が略U字型に形成され、読者の頭部重力が土台に直接作用しないので書台板(透明板)の固定が安定し難く、重い書物を載せると書台板(透明板)が傾き本が落下する危険がある。
(2)
書台板(透明板)の高さ調整が段階的で、読者の焦点位置に合わせた高さの微調整がし難い。
(3)書台板(透明板)の跳ね上げ時にアーチ型支柱に当り直上固定出来ないので読者の寝起き時に書台板(透明板)が読者の頭部に当り寝起きがし難い。
(4)
書台板(透明板)の上に書物を置いて、読 者の目側から書物の文章を読む時、読者の顔等が書台板(透明板)の裏面に映り、反射映像となり文章が読み難い。
【課題を解決するための手段】
【０００６】
(1)
面水平版(土台)を平面板とし、読者の頭部重力が床面水平板(土台)に直接作用して、書台板(透明板)の固定を安定させる。
(2)
書台板(透明板)の高さ調整を床面垂直板(脚部)と書台垂直板(アーチ型支柱)の間に螺子ナットによる高さ固定機構を設けて、床面垂直板(脚部)と書台垂直板(アーチ型支柱)のスライド移動により、任意の位置で固定出来る様にし、読者
の焦点位置に合わせた高さでの無段階固定とする。
(3)
書台垂直板(アーチ型支柱)と書台板(透明板)の接合部間に回転軸機構を設けて、書台板(透明板)を書台垂直板(アーチ型支柱)の直上に跳ね上げて固定させ、読者の寝起き時に書台板(透明板)が読者の頭部に当ることを防止する。
(4)
書台板(透明板)の上に置かれた書物の少なくとも文章面積に相当する部分を切り欠穴として反射を防ぐか、または、書物の少なくとも文章面積に相当する部分の裏面側に反射防止剤のコーティングを行うか、または、微細凹凸による表面反射防止機能を形成させて、反射による反射映像を防止する。
【発明の効果】
【０００７】
(1)
読者の頭部重力が床面水平板(土台)に直接作用して、床面垂直板と書台垂直板を経由して書台板(透明板)の固定を安定させ、書物の重力モーメントによる書台板(透明板)の傾きを防止して、書物の落下等を防止する。
(2)
書台板(透明板)の無段階固定機構により、枕の高さ、頭の大きさ、読者の目焦点位置に合わせて任意の高さの微調整を可能にし、読み易さ精度の向上と目の疲れ      防止する。
(3)
書台板(透明板)を書台垂直板(アーチ型支柱)の直上に跳ね上げて固定させ、読者の寝起き時に書台板(透明板)が読者の頭部に当ることを防止し、寝起きの容易化と収納等の使い勝手を容易にする。
(4)
書台板(透明板)の上に置かれた書物を下面から読むと透明板の透光損失からやや暗くなる事と読者の顔が映り反射映像で文章が読み難くなることを防止し、視認性の向上と目の疲れを防止する。
【図面の簡単な説明】
【０００８】
【図１】本発明の実施例1の斜視図
【図２】本発明の実施例1の分解斜視図
【図３】本発明の実施例1の書台板を跳ね上げた斜視図
【図４】本発明の実施例1の使用状態を示す斜視図
【図５】本発明の実施例2の斜視図
【図６】本発明の実施例2の分解斜視図
【発明を実施するための形態】
【０００９】
以下に実施例1を図1から図4を参照して説明する。
図2は図1の分解斜視図で、図3は図1の4書台板を3書台垂直板の上方に跳ね上げた状態を示す。図4は読者が枕を使って読書している状態を示す。
1床面水平版と2床面垂直板はL字形に曲げて一体的に構成し、2床面垂直板には7ガイド溝が両端に垂直に設けてある、3書台垂直板の両端に前記7ガイド溝とピッチを合わせて13雄螺子穴が設けられ、8雄螺子の頭部首下の四角が嵌りあう四角形にしてある、上端には3A曲げ部が設けられ、10蝶番を取付用の11A蝶番取付穴Aが設けてあり、11蝶番螺子Aによって組みつけられる。4書台板は透明部材で作られ、先端部には6切り欠穴が設けられ、反射防止と透明部材の透光損失防止がなされている。後端部には10蝶番を取付用の12A蝶番取付穴B
が設けてあり12蝶番螺子Bによって組みつけられる。8雄螺子は3書台垂直板側から通して2床面垂直板の裏側で9蝶ナットによって締め付けられる。完成した状態が図1で、5書物を4書台板の上に載せて書物の文章部分を6切り欠穴に合わせて下から読書が行われる。
尚、この6切り欠穴は読者が下から指を使って本を微動させる時にも便利である。
図4はその使用状態を示したもので、この事例では布団無しに読書しているが、1床面水平板と枕の間に布団を入れても良い。図3は4書台板を3書台垂直板の上に跳ね上げた状態図で、読者が寝起きする時便利で、収納時にも用いる。
4書台板の高さを調節するには9蝶ナットを緩めて、4書台板を目の焦点位置に合わせて9蝶ナットを締め付ける。4書台板の回転軸は10蝶番を用いているが、3書台垂直板と4書台板の側面の一方に軸受穴を設け、他方に回転軸を設けて回転軸機構としても良い。
読者の目から上を見ると4書台板の裏面に顔が映り、文章が読み辛くなることを防ぐ為に本案でぱ6切り欠穴を用いたが、他の方法として4書台板の裏面に反射防止剤を塗布したり、表面の微細凹凸を作って反射を防止しても良い。
【００１０】
次に、実施例2を図5から図6を参照して説明する。
図6は図5の分解斜視図で、実施例1と異なる部分のみ異なった記号を付して説明する。101床面水平板と102床面垂直板はL字形に曲げて一体的に構成し、102床面垂直板の中央に107切り欠き部を設けて中心に104調整螺子を溶接固定する。この固定方法は103書台垂直板側にナットを溶接し104調整螺子を締め付けても良い。103書台垂直板の両側面には103Bガイド片を設け、102床面垂直板の側面板厚を囲みスライド自由に嵌合する、102床面垂直板の中央には105調整ナットが通過できる106係合窓を設け、その上部に103A曲げ部を設けて4書台板を前記同様に10蝶番で連結する。(10蝶番の取付け方法は第一実施例と同じ)
そして、組付け方法は102床面垂直板の上から103書台垂直板を103Bガイド片の溝と102床面垂直板の両側面と合わせて嵌合し、105調整ナットを106係合窓に入れて103書台垂直板を下げ、前記104調整螺子と105調整ナットが接触した位置から105調整ナットをねじ込む方向に回しながら103書台垂直板を下げて標準の位置に止める。尚、他の組付け方法として104調整螺子と105調整ナットを予め標準位置に嵌めておき、102床面垂直板と103書台垂直板を組み合わせた後、105調整ナットを106係合窓に嵌めてから前記104調整螺子の下部を102床面垂直板中央切り欠き部に取付け固定しても良い。
4書台板の高さを調節するには、105調整ナットを回転させれば希望の高さに調整可能で、103書台垂直板を支えている必要なく便利である。
【産業上の利用可能性】
【００１１】
近年、健康な高齢者の増加により読書熱が高まっており、疲れやすい高齢者の読書を安楽姿勢で安全に行う器具が期待されている。更に、怪我等で入院し、または自宅で、布団やベッド等で寝ている人にも幅広く使い易い読書器具が期待されている。
【符号の説明】
【００１２】
1床面水平板、2床面垂直板、3書台垂直板、4書台板、5書物、6切り欠穴、      
7ガイド溝、8雄螺子、9蝶ナット、10蝶番、11蝶番螺子A、12蝶番螺子B
13雄螺子穴、3A曲げ部、11A蝶番取付穴A、12A蝶番取付穴B、
【００１３】
101床面水平板、102床面垂直板、103書台垂直板、104調整螺子、105調整ナット、106係合窓、103A曲げ部、103Bガイド片、107切り欠き部
【図１】
2011045503.tif 000003
【図２】
2011045503.tif 000004
【図３】
2011045503.tif 000005
【図４】
2011045503.tif 000006
【図５】
2011045503.tif 000007
【図６】
2011045503.tif 000008
【手続補正書】
【提出日】平成22年6月12日(2010.6.12)
【手続補正１】
【補正対象書類名】特許請求の範囲
【補正対象項目名】全文
【補正方法】変更
【補正の内容】
【特許請求の範囲】
【請求項１】
床面水平板と床面垂直板と書台垂直板と書台板を略コの字型に組合せた読書台に於いて、前記床面水平板と床面垂直板を板材でL字型に一体形成し、床面垂直板に対し書台垂直板を上下方向のみにスライド可能とし、前記床面垂直板に対し書台垂直板の上下方向の位置を固定する無段階固定機構を設け、前記書台垂直板と書台板の接合部に回転軸機構を設け、前記書台板を前記書台垂直板の上端曲げ部の上で水平に保持し、前記書台板は透明材料を平面で水平に構成し、書台板の少なくとも本の文章面積相当部に反射防止機能を設けたことを特徴とする安楽読書台。
【請求項２】
前記請求項１において、前記床面垂直板に対し書台垂直板の上下方向の位置を固定する無段階固定機能は、前記床面垂直板と書台垂直板のいづれか一方に複数の上下方向に延びるガイド溝を設け、他方に前記ガイド溝に係合する雄螺子の雄螺子穴を設け、床面垂直板と書台垂直板を雄螺子と蝶ナットの締め付けにより、書台板を任意な高さ位置で締結固定できるようにしたことを特徴とする安楽読書台。
【請求項３】
前記請求項１において、前記床面垂直板に対し書台垂直板の上下方向の位置を固定する無段階固定機能は、前記書台垂直板の両側に前記床面垂直板を囲むガイド片を設け、前記床面垂直板に対して書台垂直板がスライド自由に嵌合し、前記床面垂直板と書台垂直板のいづれか一方に、上下方向に延びる調整螺子を固定し、前記調整螺子と螺合する調整ナットを取付け、他方に、前記調整ナットと回転自由で上下方向に移動不能な係合窓を設け、前記調整ナットと係合窓を係合させ、調整ナットの回転により書台板を任意な高さ位置で固定出来るようにした特徴とする安楽読書台。
【請求項４】
前記請求項１において、前記書台垂直板と書台板の接合部に設けた回転軸機構は、前記書台垂直板の上端曲げ部と書台板の下面部の間に蝶番を取り付け、必要に応じて前記書台板を前記書台垂直板の直上に跳ね上げ静止できる様にしたことを特徴とする安楽読書台。
【請求項５】
前記請求項１において、書台板の少なくとも本の文章面積相当部に設けた反射防止機能は、書台板の本設置位置で少なくとも本の文章面積相当部を切り欠穴にし、その切り欠穴全外周部に一定幅の平面部を残したことを特徴とする安楽読書台。